(57)【要約】【課題】  天井部に集積物を裁置して手を離すと当該集積物の重量によって投入口が押し開かれ，集積物が投入口を通過して収納具の内部に収納され，集積物の通過後は常にきちんと閉ざされている蓋部，及び当該蓋部を有する収納具を廉価に供すること。【解決手段】蓋状体の端部がゴムやバネ等の弾性体によって所定の位置に引き寄せられ留まることで収納具の開口部を覆い，当該蓋状体を押しのけることで開口した上部開口部を投入口とする収納具の蓋であって，当該蓋状体に集積物を裁置して手を離すと当該集積物の重量によって前記弾性体が変形又は引き伸ばされ当該蓋が変形あるいは回動して前記投入口が開かれ，当該集積物が当該投入口を通過して収納具の内部に収納される構成である前記収納具の蓋及び当該蓋部を有する収納具を供する。【選択図】  図８
2008007234.tif 000002
【特許請求の範囲】
【請求項１】
蓋状体の端部がゴムやバネ等の弾性体によって所定の位置に引き寄せられ留まることで収納具の開口部を覆い，当該蓋状体を押しのけることで開口した上部開口部を投入口とする収納具の蓋であって，当該蓋状体に集積物を裁置して手を離すと当該集積物の重量によって前記弾性体が変形又は引き伸ばされ当該蓋が変形あるいは回動して前記投入口が開かれ，当該集積物が当該投入口を通過して収納具の内部に収納される構成である前記収納具の蓋及び当該蓋部を有する収納具。
【請求項２】
前記蓋状体が網や布又はシートなどの布状体であって，当該布状体の端部の一定幅を接着や縫合をせずに折り返す事で，縫製や補強等によって発生する難伸縮部位が前記投入口の周縁に位置しないようにした構成である請求項１記載の収納具の蓋及び当該蓋部を有する収納具。
【発明の詳細な説明】
【技術分野】
【０００１】
本発明はゴミ集積場等に於いてゴミの散乱を防止などのために供される収納具の蓋及び当該蓋部を有する収納具に関するものである。
【背景技術】
【０００２】
近年，都市部ではカラスが生ゴミの入ったゴミ袋を切り裂いて，中の残飯等を食いあさり，袋の内容物を路上等に散乱させる被害が日常化している。強固な収納庫や収納箱を用いればこれらの被害は防げるが，ゴミ集荷場を路上の一角に設定しなければならないという事情がこのゴミ収納庫や収納箱の設置を防げている。また，ネット等の覆いを設置しても手が汚れることを嫌い，これに触れたがらず生ゴミをネットの上に置いていってしまう者も多い。この解決のために投入口を持ちネットで構成された覆いや折りたたみ式の収納箱が各種発明されているが，解決につながらない現状がある。
【０００３】
【特許文献１】特開２００４−１０２３０号広報  特開２００４−１０２３０号広報記載の発明は「後面部と，前面部と，これらの間に折り畳み可能に設けられた一対の側面部とからなる上面および底面が開口するゴミ収集ボックスであって，前記各側面部は後半部と前半部からなり両者は縦方向のほぼ中央部分で内側に折り畳み可能に構成され，各側面部の前記前半部の上辺は前面部方向に傾斜するように形成され，前記後面部の上端にはゴミ収集ボックスの上面開口部を遮蔽する網状体の一端を固定し，ゴミ収集ボックスの非使用時には側面部を内側に折り畳み前面部を後面部に折り重ね可能としたことを特徴とするゴミ収集ボックス。」である。利用者が，「ネット等の覆いを設置しても手が汚れることを嫌い，これに触れたがらない」という現実の中で確実なカラス等による散乱被害を防ぐには，ネット等の覆いに一切手を触れることなく収納物を収納できる収納具の蓋及び当該蓋部を有する収納具の実現が望まれる。
【０００４】
【特許文献２】特許第３７４３７６４号  特許第３７４３７６４号に記載された発明は『網や布である布状体に廃棄物等を投入するための開口部を設けた構成であり，当該開口部周縁に沿って「さがり」」を設けたことを特徴とする散乱防止用覆い。』である。当該覆いは「さがり」を有することでカラス等の鳥獣が投入口から侵入することを防ぐと共に，左右の天井部を構成する布状体を中央部で突き合わせ下に向かって曲折して「さがり」とすることから，投入口の周縁に前記布状体の縫い合わせ部分が位置せず，投入口を押し広げやすい構成となっている。しかし，該覆いの全体を網で製造したような場合には投入口周辺にたるみが出て，投入口もだらしなく開口しやすくなる。開口部の左右の位置を固定してしまうと投入口が大きく変形できず，大きな投入物は投入口を通過できなくなる。大きな投入物が通過でき，投入口が常にきちんと閉鎖される収納具の蓋及び当該蓋部を有する収納具の実現が望まれる。
【０００５】
【特許文献３】特許第３６７０６５６号  特許第３６７０６５６号は廃棄物等をまとめてこれを覆うことのできる網や布である布状体によって構成された前記廃棄物等を投入するための投入口を設けてある覆いであって，該投入口は使用時に外側に位置する外布と使用時に内側に位置する内布によって二枚合わせの筒状に構成され，該二枚合わせの間から前記覆いの下に前記廃棄物等を投入できるようにした構成であることを特徴とする散乱防止用覆いである。当該２枚合わせの構成はカラス等の侵入を防ぐための物である。平面部に該構成の投入口を設け，前記外布をつまみ上げて前記平面部を傾ける使い方では極めて有効な構成といえるが，蚊帳状の立体に縫製された覆いに本構成を適用して天井部に投入物を裁置した場合，前記二枚合わせ部分を幅広にすると投入物が自動に滑り込み難く，前記二枚合わせ部分の幅を狭くすると投入口はだらしなく広がって，鳥獣の侵入を許すことになる。重なる部分の幅が狭くても，あるいは重ねずに左右の天井部を突き合わせただけで投入口がきちんと閉鎖される収納具の蓋及び当該蓋部を有する収納具の実現が望まれる。
【発明の開示】
【発明が解決しようとする課題】
【０００６】
蓋部（天井部）に集積物を裁置して手を離すと当該集積物の重量によって投入口が押し開かれ，当該集積物が当該投入口を通過して収納具の内部に収納され，当該集積物の通過後は常にきちんと閉ざされている蓋部，及び当該蓋部を有する収納具を廉価に供すること。
【課題を解決するための手段】
【０００７】
蓋状体の端部がゴムやバネ等の弾性体によって所定の位置に引き寄せられ留まることで収納具の開口部を覆い，当該蓋状体を押しのけることで開口した上部開口部を投入口とする収納具の蓋であって，当該蓋状体に集積物を裁置して手を離すと当該集積物の重量によって前記弾性体が変形又は引き伸ばされ当該蓋が変形あるいは回動して前記投入口が開かれ，当該集積物が当該投入口を通過して収納具の内部に収納される構成である前記収納具の蓋及び当該蓋部を有する収納具を供する。
【０００８】
前記蓋状体が網や布又はシートなどの布状体であって，当該布状体の端部の一定幅を接着や縫合をせずに折り返す事で，縫製や補強等によって発生する難伸縮部位が前記投入口の周縁に位置しないようにした構成である収納具の蓋及び当該蓋部を有する収納具を供する。
【発明の効果】
【０００９】
蓋状体の端部がゴムやバネ等の弾性体によって所定の位置に引き寄せられ留まることで収納具の開口部を覆い，当該蓋状体を押しのけることで開口した上部開口部を投入口とする収納具の蓋であって，当該蓋状体に集積物を裁置して手を離すと当該集積物の重量によって前記弾性体が変形又は引き伸ばされ当該蓋が変形あるいは回動して前記投入口が開かれ，当該集積物が当該投入口を通過して収納具の内部に収納される構成である前記収納具の蓋及び当該蓋部を有する収納具であるため，次の効果を奏する。
【００１０】
集積物の重量によって蓋状体を押しのけることから，利用者が手を汚すことなく，かつ努力や特別の配慮無しに，生ゴミ等の収納物が収納具の中に確実に収納さる。蓋状体の端部がゴムやバネ等の弾性体によって所定の位置に引き寄せられことから，カラス等鳥獣の侵入を阻止でき，散乱防止効果が高く，使い勝手の良い収納具を廉価に供することができる。
【００１１】
前記蓋状体が網や布又はシートなどの布状体であって，当該布状体の端部の一定幅を接着や縫合をせずに折り返す事で，縫製や補強等によって発生する難伸縮部位が前記投入口の周縁に位置しないようにした構成である収納具の蓋及び当該蓋部を有する収納具であるため，次の効果を奏する。
【００１２】
特許第３７４３７６４号における「さがり」を天井部に向かって折り返した物であり，投入物の通過に際し，投入口の変形が容易になって，生ゴミ等の収納物を天井部に載せるだけで収納具の中にスムーズに収納される収納具が，内部容積を減じることなく製造できる。
【発明を実施するための最良の形態】
【００１３】
本願発明は，蓋部（天井部）に集積物を裁置して手を離すと当該集積物の重量によって投入口が開かれ，当該集積物が当該投入口を通過して収納具の内部に収納され，当該集積物の通過後は常にきちんと閉ざされている蓋部，及び当該蓋部を有する収納具であって，カラス等鳥獣の侵入を阻止でき，散乱防止効果が高い収納具を廉価に供するものである。以下図に基づき具体的に述べる。なお，本願発明の一部は，特許第３７４３７６４号並びに特許第３６７０６５６号の改良発明である。
【実施例１】
【００１４】
図１は実施例１の一部断面を含む斜視図である。筒状体１の上部に天井部２である天井板２１を２枚並置し，当該２枚の天井板２１が作る合わせ目２１３と平行し筒状体１に接する天井板２１の端辺に軸受け２１１を設け，回転軸２１２によって筒状体１に回動可能に連結する。合わせ目２１３近くの天井部構成材の隅２４に，弾性材３であるゴム紐３１の端３１１を結合し，当該ゴム紐３１は筒状体１の上部に設けたリング３１２に挿嵌し，反対側端部３１３を筒状体１の下部に固定する。
【００１５】
天井板２１に集積物を裁置し，手を離すと天井板２１が矢印方向に向かって回動し，筒状体１の上部が開口する。前記集積物は筒状体１の内部に落下し，筒状体１内に収納される。前記天井板２１の回動時には，ゴム紐３１はリング３１２の内面を滑動しながら引き伸ばされ，集積物が筒状体１の開口部を内部に向かって通過した後は前記天井板２１が逆方向に引き戻される。筒状体１には底が存在しないため，当該筒状体１を持ち上げ移動すると収納された集積物はその場に残り，その回収は容易である。なお，前記滑動を容易にするため，前記ゴム紐３１のリング３１２と接する部分を滑りやすい材質に置き換えることが可能である。
【実施例２】
【００１６】
図２は実施例２の一部断面を含む斜視図である。実施例１における筒状体１の代わりに矩形の枠状体１０を設け，天井板２１をシート２２に置き換え，回転軸２１２の代わり鋲２２１によって前記枠状体１０に前記シート２２を接合した物である。枠状体１０の，合わせ目２１３と垂直方向をなす内側側面には該枠状体１０に沿ってその長さ分のゴム紐Ｂ３２を配し，その両端部を枠状体１０に固定する。合わせ目２１３近くの天井部構成材の隅２４を，結合手段３２１によってゴム紐Ｂ３２と結合する。収納具の上部開口部に枠状体１０を被せ，天井部２であるシート２２上に集積物を裁置して手を離すと，ゴム紐Ｂ３２が引き伸ばされて中央部が枠状体１０から離れ，シート２２は変形して合わせ目２１３から左右に押しひろげられ，集積物は当該押し拡げられた合わせ目２１３を通過し，下の収納具に収納される。
【実施例３】
【００１７】
図３は実施例３の一部断面を含む斜視図である。構成はほぼ実施例２と同一であり，実施例２で合わせ目２１３を挟んで並置されたシート２２（２）が本実施例では枠状体１０の中央部で重なりあい，重合部２２２を構成する。当該重合部２２２の上に集積物を裁置して手を離すとゴム紐Ｂ３２が引き伸ばされて中央部が枠状体１０から離れ，シート２２は矢印方向に変形して左右に押しひろげられ，集積物は当該押し拡げられた合わせ目２１３を通過し，下の収納具に収納される。通過後はゴム紐Ｂ３２並びにシート２２（２）は元の位置に引き戻され，重合部２２２を構成する。実施例２では合わせ目に隙間を作りやすく鳥獣の侵入に対し不安感が残るが，本実施例では重合部２２２が隙間を塞ぎ，上下のシート２２（２）を密着して隙間を無くし，安心感が得られる。
【実施例４】
【００１８】
図４は実施例４の一部断面を含む斜視図である。構成はほぼ実施例２と同一であり，実施例２で合わせ目２１３を挟んで並置されたシート２２（２）が本実施例では網２３（２）に置き換えられ，当該並置された網２３（２）は枠の中央部で突き合わされ，突き合わされた網２３（２）はそれぞれ下に向かって曲折し，「さがり」２３１を構成する。合わせ目２１３近くの天井部構成材の隅２４を結合手段３２１によってゴム紐Ｂ３２と結合する。左右の網２３（２）と「さがり」２３１が構成する曲折部は引き伸ばすようにゴム紐に引かれるため，該左右の「さがり」２３１は互いに密着し，鳥獣の侵入を阻止する。また，投入口の周縁である前記曲折部に縫い目などの難伸縮部位が位置しないことから投入口の変形が容易であり，集積物の通過も容易となる。
【実施例５】
【００１９】
図５は実施例５の一部断面を含む斜視図である。構成はほぼ実施例４と同一であり，実施例４と同様に合わせ目２１３を挟んで並置された網２３（２）が枠の中央部でそれぞれ下に向かって曲折し「さがり」２３１を構成する。異なる点は網２３（２）が合わせ目２１３に向かって傾斜している点と，ゴム紐Ｂ３２が板状弾性体３３に置き換えられた点である。合わせ目２１３近くの天井部構成材の隅２４を結合手段Ｂ３２２によって板状弾性体３３に結合する。網２３（２）上に集積物を載せ手を離すと集積物は傾斜面を滑り降り該網２３（２）を合わせ目２１３から押しひろげ，下の収納具に収納される。網２３（２）の合わせ目２１３が押しひろげられるにつれて板状弾性体３３の先端が合わせ目２１３の中央部に向かって引き寄せられ，集積物が合わせ目２１３を通過した後は変形した網２３（２）を引き戻し元の形態に復元する。「さがり」２３１の効果は実施例４と同様である。
【実施例６】
【００２０】
図６は実施例６の一部断面を含む斜視図である。本実施例は実施例１の筒状体１を布や網である布状体（本図では網）によって構成された筒状体Ｂ１１に置き換えたものである。筒状体Ｂ１１と天井部２である網２３によって構成された収納具全体が一体として蚊帳状に構成される。枠Ｂ１０１には脚１０２を設けて該枠Ｂ１０１を浮設し，該枠Ｂ１０１には係着部１０１１設け，筒状体Ｂ１１を吊着する。天井部２の網２３は合わせ目２１３に向かって傾斜し，天井部構成材の隅２４を結合手段３２１によってゴム紐Ｂ３２と結合する。該ゴム紐Ｂ３２は左右に引き伸ばされてその両端を前記脚１０２に接合される。前述の実施例と働きは同一であるが，本体が蚊帳状であり支持部材である枠Ｂ１０１や脚１０２がパイプ等により簡単に製造できることから，大きさの設定が自由にできる。
【実施例７】
【００２１】
図７は実施例７の一部断面を含む斜視図である。構成はほぼ実施例４と同一であるが，合わせ目２１３を挟んで並置された二つの天井部構成材（ここでは網２３）の隅２４を実施例４では一本のゴム紐によって合わせ目２１３の伸びる方向と同一方向に引き戻したのに対し，本実施例では並置された前記天井部構成材の二つの隅２４のそれぞれを別のゴム紐Ｃ３４によってリング３１２に向かって引き寄せるものである。実施例４と異なる効果は，二つの構成材の隅２４のそれぞれに別個のゴム紐Ｃ３４が設けられたことで引き延ばしの方向が自由になり，投入物が大きかった場合には枠状体１０の幅いっぱいに合わせ目２１３を押しひろげることも可能となる。また，「さがり」２３１は折り返されて天井部の網２３（２）に接合されるため，実施例４では「さがり」２３１によって占領されていた網２３の下であって収納部上部の空間が必要なくなり，より大きな集積物の収納が可能となる。
【実施例８】
【００２２】
図８は実施例８の斜視図である。本実施例の構成は実施例６とほぼ同一であるが，筒状体Ｂ１１を支持する支持体が枠Ｃ１０３の二つをＸ字状に交差させ，当該交点１０３１に於いて二つの枠Ｃ１０３を回動可能に連結させたものとする。一方の枠Ｃ１０３の上端角部に開き角固定用のアーム１０４を可動的に接合する。もう一方の枠Ｃ１０３の上端角部にアーム１０４の端部を係着する係着部１０５を設ける。前記アーム１０４のほぼ中央にリング３１２を設ける。網２３による二つの天井部構成材の隅２４にゴム紐３１の端３１１を固定し，該ゴム紐３１はリング３１２を通して反対側端部３１３を前記枠Ｃ１０３の下部に固定する。都合４個所の天井部構成材の隅２４のそれぞれについて，ゴム紐を上記の通り構成する。天井部を構成する網２３と筒状体Ｂ１１の上端は合わせ目２１３と平行する辺のみを縫合あるいは連続させ，筒状体Ｂ１１の上端角を枠Ｃ１０３の上端角部を係着可能とする。
【００２３】
上記構成により筒状体Ｂ１１は蚊帳状を呈する。合わせ目２１３と直交するところの天井部を構成する網２３の側端と筒状体Ｂ１１上端とは縫合せずに，前記網２３の動きを極力拘束しないものとする。天井部である網２３は筒状体Ｂ１１の上部を覆い，前記ゴム紐３１の力で係止する。前記ゴム紐３１によって二枚の網２３はリング３１２に向かって引き寄せられ天井部２を構成する。以上の構成により天井部の網２３は枠Ｃ１０３に接するまで押し開かれることが可能となる。また，枠Ｃ１０３を細い棒状鋼材（例えば径３〜８ｍｍ程度ただし収納具の大きさによって変動）によって構成すると，枠Ｃ１０３が弾性を発揮，変形して押し開かれるため，開口部の見かけの大きさよりよりも大きな集積物が投入可能となる。筒状体Ｂ１１の下端は内側に向かって折り込まれた裾４１によって下部開口部４を形成する。集積物５がこれに載って押さえつけるため，カラス等鳥獣の侵入を防ぐ効果が大である。集積物の回収に当たっては，上記構成による当該収納具の全体を持ち上げると下部開口部４は大きく変形して集積物５を通過させ，その場に残して移動できる。枠Ｃ１０３の下部には脚状突起部１０６を設けて枠Ｃ１０３を浮設し，筒状体Ｂ１１が摩耗することを防ぐ。
【図面の簡単な説明】
【００２４】
【図１】実施例１の一部断面を含む斜視図である。
【図２】実施例２の一部断面を含む斜視図である。
【図３】実施例３の一部断面を含む斜視図である。
【図４】実施例４の一部断面を含む斜視図である。
【図５】実施例５の一部断面を含む斜視図である。
【図６】実施例６の斜視図である。
【図７】実施例７の一部断面を含む斜視図である。
【図８】実施例８の斜視図である。
【符号の説明】
【００２５】
１  筒状体
１０  枠状体
１０１  枠Ｂ
１０１１  係着部
１０２  脚
１０３  枠Ｃ
１０４  アーム
１０５  係着部
１０６  脚状突起部
１１  筒状体Ｂ
２  天井部
２１  天井板
２１１  軸受け
２１２  回転軸
２１３  合わせ目
２２  シート
２２１  鋲
２２２  重合部
２３  網
２３１  「さがり」
２４  天井部構成材の隅
３  弾性材
３１  ゴム紐
３１１  ゴム紐の端
３１２  リング
３１３  ゴム紐の反対側端部
３２  ゴム紐Ｂ
３２１  結合手段
３２２  結合手段Ｂ
３３  板状弾性体
３４  ゴム紐Ｃ
４  下部開口部
４１  裾
５  集積物
【図１】
2008007234.tif 000003
【図２】
2008007234.tif 000004
【図３】
2008007234.tif 000005
【図４】
2008007234.tif 000006
【図５】
2008007234.tif 000007
【図６】
2008007234.tif 000008
【図７】
2008007234.tif 000009
【図８】
2008007234.tif 000010
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
蓋状体が網や布又はシートなどの布状体を並置し突き合わせたものであって、当該突き合わせた布状体の隙間を投入口とし、ゴムやバネ等の弾性体によって該投入口を該投入口の両端部に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である前記収納具の蓋状体及び当該蓋状体を有する収納具。
【請求項２】
前記蓋状体が、前記並置された布状体が中央で突き合わされ下に向かって曲折しするか更に折り返されて天井部に接合されたものとし、当該曲折部が前記布状体の端部の一定幅を接着や縫合をせずに折り返したものであって、縫製や補強によって生じる難伸縮部位が前記投入口の周縁に位置しないようにしたことを特徴とする請求項１記載の収納具の蓋状体及び当該蓋状体を有する収納具。
【手続補正２】
【補正対象書類名】明細書
【補正対象項目名】全文
【補正方法】変更
【補正の内容】
【発明の詳細な説明】
【技術分野】
【０００１】
本発明はゴミ集積場等に於いてゴミの散乱を防止などのために供される収納具の蓋及び当該蓋部を有する収納具に関するものである。
【背景技術】
【０００２】
近年，都市部ではカラスが生ゴミの入ったゴミ袋を切り裂いて，中の残飯等を食いあさり，袋の内容物を路上等に散乱させる被害が日常化している。強固な収納庫や収納箱を用いればこれらの被害は防げるが，ゴミ集荷場を路上の一角に設定しなければならないという事情がこのゴミ収納庫や収納箱の設置を防げている。また，ネット等の覆いを設置しても手が汚れることを嫌い，これに触れたがらず生ゴミをネットの上に置いていってしまう者も多い。この解決のために投入口を持ちネットで構成された覆いや折りたたみ式の収納箱が各種発明されているが，解決につながらない現状がある。
【０００３】
【特許文献１】特開２００４−１０２３０号広報特開２００４−１０２３０号広報記載の発明は「後面部と，前面部と，これらの間に折り畳み可能に設けられた一対の側面部とからなる上面および底面が開口するゴミ収集ボックスであって，前記各側面部は後半部と前半部からなり両者は縦方向のほぼ中央部分で内側に折り畳み可能に構成され，各側面部の前記前半部の上辺は前面部方向に傾斜するように形成され，前記後面部の上端にはゴミ収集ボックスの上面開口部を遮蔽する網状体の一端を固定し，ゴミ収集ボックスの非使用時には側面部を内側に折り畳み前面部を後面部に折り重ね可能としたことを特徴とするゴミ収集ボックス。」である。利用者が，「ネット等の覆いを設置しても手が汚れることを嫌い，これに触れたがらない」という現実の中で確実なカラス等による散乱被害を防ぐには，ネット等の覆いに一切手を触れることなく収納物を収納できる収納具の蓋及び当該蓋部を有する収納具の実現が望まれる。
【０００４】
【特許文献２】特許第３７４３７６４号特許第３７４３７６４号に記載された発明は『網や布である布状体に廃棄物等を投入するための開口部を設けた構成であり，当該開口部周縁に沿って「さがり」」を設けたことを特徴とする散乱防止用覆い。』である。当該覆いは「さがり」を有することでカラス等の鳥獣が投入口から侵入することを防ぐと共に，左右の天井部を構成する布状体を中央部で突き合わせ下に向かって曲折して「さがり」とすることから，投入口の周縁に前記布状体の縫い合わせ部分が位置せず，投入口を押し広げやすい構成となっている。しかし，該覆いの全体を網で製造したような場合には投入口周辺にたるみが出て，投入口もだらしなく開口しやすくなる。開口部の左右の位置を固定してしまうと投入口が大きく変形できず，大きな投入物は投入口を通過できなくなる。大きな投入物が通過でき，投入口が常にきちんと閉鎖される収納具の蓋及び当該蓋部を有する収納具の実現が望まれる。
【０００５】
【特許文献３】特許第３６７０６５６号  特許第３６７０６５６号は廃棄物等をまとめてこれを覆うことのできる網や布である布状体によって構成された前記廃棄物等を投入するための投入口を設けてある覆いであって，該投入口は使用時に外側に位置する外布と使用時に内側に位置する内布によって二枚合わせの筒状に構成され，該二枚合わせの間から前記覆いの下に前記廃棄物等を投入できるようにした構成であることを特徴とする散乱防止用覆いである。当該２枚合わせの構成はカラス等の侵入を防ぐための物である。平面部に該構成の投入口を設け，前記外布をつまみ上げて前記平面部を傾ける使い方では極めて有効な構成といえるが，蚊帳状の立体に縫製された覆いに本構成を適用して天井部に投入物を載置した場合，前記二枚合わせ部分を幅広にすると投入物が自動に滑り込み難く，前記二枚合わせ部分の幅を狭くすると投入口はだらしなく広がって，鳥獣の侵入を許すことになる。重なる部分の幅が狭くても，あるいは重ねずに左右の天井部を突き合わせただけで投入口がきちんと閉鎖される収納具の蓋及び当該蓋部を有する収納具の実現が望まれる。
【発明の開示】
【発明が解決しようとする課題】
【０００６】
蓋部（天井部）に集積物を載置して手を離すと当該集積物の重量によって投入口が押し開かれ，当該集積物が当該投入口を通過して収納具の内部に収納され，当該集積物の通過後は常にきちんと閉ざされている蓋部，及び当該蓋部を有する収納具を廉価に供すること。
【課題を解決するための手段】
【０００７】
蓋状体が網や布又はシートなどの布状体を並置し突き合わせたものであって、当該突き合わせた布状体の隙間を投入口とし、ゴムやバネ等の弾性体によって該投入口を該投入口の両端部に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である前記収納具の蓋状体及び当該蓋状体を有する収納具を供する。
【０００８】
前記蓋状体が、前記並置された布状体が中央で突き合わされ下に向かって曲折しするか更に折り返されて天井部に接合されたものとし、当該曲折部が前記布状体の端部の一定幅を接着や縫合をせずに折り返したものであって、縫製や補強によって生じる難伸縮部位が前記投入口の周縁に位置しないようにしたことを特徴とする収納具の蓋状体及び当該蓋状体を有する収納具を供する。
【発明の効果】
【０００９】
蓋状体が網や布又はシートなどの布状体を並置し突き合わせたものであって、当該突き合わせた布状体の隙間を投入口とし、ゴムやバネ等の弾性体によって該投入口を該投入口の両端部に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である前記収納具の蓋状体及び当該蓋状体を有する収納具であるため，次の効果を奏する。
【００１０】
集積物の重量によって蓋状体を押しのけることから，利用者が手を汚すことなく，かつ努力や特別の配慮無しに，生ゴミ等の収納物が収納具の中に確実に収納される。蓋状体の端部がゴムやバネ等の弾性体によって該投入口の両端部に向かって引き伸ばすように引き寄せられることから，カラス等鳥獣の侵入を阻止でき，散乱防止効果が高く，使い勝手の良い収納具を廉価に供することができる。
【００１１】
前記蓋状体が、前記並置された布状体が中央で突き合わされ下に向かって曲折しするか更に折り返されて天井部に接合されたものとし、当該曲折部が前記布状体の端部の一定幅を接着や縫合をせずに折り返したものであって、縫製や補強によって生じる難伸縮部位が前記投入口の周縁に位置しないようにしたことを特徴とする収納具の蓋状体及び当該蓋状体を有する収納具であるため，次の効果を奏する。
【００１２】
投入物の通過に際し，投入口の変形が容易になって，生ゴミ等の収納物を天井部に載せるだけで収納具の中にスムーズに収納される収納具が，内部容積を減じることなく製造できる。
【発明を実施するための最良の形態】
【００１３】
本願発明は，蓋部（天井部）に集積物を載置して手を離すと当該集積物の重量によって投入口が開かれ，当該集積物が当該投入口を通過して収納具の内部に収納され，当該集積物の通過後は常にきちんと閉ざされている蓋部，及び当該蓋部を有する収納具であって，カラス等鳥獣の侵入を阻止でき，散乱防止効果が高い収納具を廉価に供するものである。以下図に基づき具体的に述べる。なお，本願発明の一部は，特許第３７４３７６４号並びに特許第３６７０６５６号の改良発明である。
【実施例１】
【００１４】
図１は実施例１の一部断面を含む斜視図である。筒状体１の上部に天井部２である天井板２１を２枚並置し，当該２枚の天井板２１が作る合わせ目２１３と平行し筒状体１に接する天井板２１の端辺に軸受け２１１を設け，回転軸２１２によって筒状体１に回動可能に連結する。合わせ目２１３近くの天井部構成材の隅２４に，弾性材３であるゴム紐３１の端３１１を結合し，当該ゴム紐３１は筒状体１の上部に設けたリング３１２に挿嵌し，反対側端部３１３を筒状体１の下部に固定する。
【００１５】
天井板２１に集積物を載置し，手を離すと天井板２１が矢印方向に向かって回動し，筒状体１の上部が開口する。前記集積物は筒状体１の内部に落下し，筒状体１内に収納される。前記天井板２１の回動時には，ゴム紐３１はリング３１２の内面を滑動しながら引き伸ばされ，集積物が筒状体１の開口部を内部に向かって通過した後は前記天井板２１が逆方向に引き戻される。筒状体１には底が存在しないため，当該筒状体１を持ち上げ移動すると収納された集積物はその場に残り，その回収は容易である。なお，前記滑動を容易にするため，前記ゴム紐３１のリング３１２と接する部分を滑りやすい材質に置き換えることが可能である。
【実施例２】
【００１６】
図２は実施例２の一部断面を含む斜視図である。実施例１における筒状体１の代わりに矩形の枠状体１０を設け，天井板２１をシート２２に置き換え，回転軸２１２の代わり鋲２２１によって前記枠状体１０に前記シート２２を接合した物である。枠状体１０の，合わせ目２１３と垂直方向をなす内側側面には該枠状体１０に沿ってその長さ分のゴム紐Ｂ３２を配し，その両端部を枠状体１０に固定する。合わせ目２１３近くの天井部構成材の隅２４を，結合手段３２１によってゴム紐Ｂ３２と結合する。収納具の上部開口部に枠状体１０を被せ，天井部２であるシート２２上に集積物を載置して手を離すと，ゴム紐Ｂ３２が引き伸ばされて中央部が枠状体１０から離れ，シート２２は変形して合わせ目２１３から左右に押しひろげられ，集積物は当該押し拡げられた合わせ目２１３を通過し，下の収納具に収納される。
【実施例３】
【００１７】
図３は実施例３の一部断面を含む斜視図である。構成はほぼ実施例２と同一であり，実施例２で合わせ目２１３を挟んで並置されたシート２２（２）が本実施例では枠状体１０の中央部で重なりあい，重合部２２２を構成する。当該重合部２２２の上に集積物を載置して手を離すとゴム紐Ｂ３２が引き伸ばされて中央部が枠状体１０から離れ，シート２２は矢印方向に変形して左右に押しひろげられ，集積物は当該押し拡げられた合わせ目２１３を通過し，下の収納具に収納される。通過後はゴム紐Ｂ３２並びにシート２２（２）は元の位置に引き戻され，重合部２２２を構成する。実施例２では合わせ目に隙間を作りやすく鳥獣の侵入に対し不安感が残るが，本実施例では重合部２２２が隙間を塞ぎ，上下のシート２２（２）を密着して隙間を無くし，安心感が得られる。
【実施例４】
【００１８】
図４は実施例４の一部断面を含む斜視図である。構成はほぼ実施例２と同一であり，実施例２で合わせ目２１３を挟んで並置されたシート２２（２）が本実施例では網２３（２）に置き換えられ，当該並置された網２３（２）は枠の中央部で突き合わされ，突き合わされた網２３（２）はそれぞれ下に向かって曲折し，「さがり」２３１を構成する。合わせ目２１３近くの天井部構成材の隅２４を結合手段３２１によってゴム紐Ｂ３２と結合する。左右の網２３（２）と「さがり」２３１が構成する曲折部は引き伸ばすようにゴム紐に引かれるため，該左右の「さがり」２３１は互いに密着し，鳥獣の侵入を阻止する。また，投入口の周縁である前記曲折部に縫い目などの難伸縮部位が位置しないことから投入口の変形が容易であり，集積物の通過も容易となる。
【実施例５】
【００１９】
図５は実施例５の一部断面を含む斜視図である。構成はほぼ実施例４と同一であり，実施例４と同様に合わせ目２１３を挟んで並置された網２３（２）が枠の中央部でそれぞれ下に向かって曲折し「さがり」２３１を構成する。異なる点は網２３（２）が合わせ目２１３に向かって傾斜している点と，ゴム紐Ｂ３２が板状弾性体３３に置き換えられた点である。合わせ目２１３近くの天井部構成材の隅２４を結合手段Ｂ３２２によって板状弾性体３３に結合する。網２３（２）上に集積物を載せ手を離すと集積物は傾斜面を滑り降り該網２３（２）を合わせ目２１３から押しひろげ，下の収納具に収納される。網２３（２）の合わせ目２１３が押しひろげられるにつれて板状弾性体３３の先端が合わせ目２１３の中央部に向かって引き寄せられ，集積物が合わせ目２１３を通過した後は変形した網２３（２）を引き戻し元の形態に復元する。「さがり」２３１の効果は実施例４と同様である。
【実施例６】
【００２０】
図６は実施例６の一部断面を含む斜視図である。本実施例は実施例１の筒状体１を布や網である布状体（本図では網）によって構成された筒状体Ｂ１１に置き換えたものである。筒状体Ｂ１１と天井部２である網２３によって構成された収納具全体が一体として蚊帳状に構成される。枠Ｂ１０１には脚１０２を設けて該枠Ｂ１０１を浮設し，該枠Ｂ１０１には係着部１０１１設け，筒状体Ｂ１１を吊着する。天井部２の網２３は合わせ目２１３に向かって傾斜し，天井部構成材の隅２４を結合手段３２１によってゴム紐Ｂ３２と結合する。該ゴム紐Ｂ３２は左右に引き伸ばされてその両端を前記脚１０２に接合される。前述の実施例と働きは同一であるが，本体が蚊帳状であり支持部材である枠Ｂ１０１や脚１０２がパイプ等により簡単に製造できることから，大きさの設定が自由にできる。
【実施例７】
【００２１】
図７は実施例７の一部断面を含む斜視図である。構成はほぼ実施例４と同一であるが，合わせ目２１３を挟んで並置された二つの天井部構成材（ここでは網２３）の隅２４を実施例４では一本のゴム紐によって合わせ目２１３の伸びる方向と同一方向に引き戻したのに対し，本実施例では並置された前記天井部構成材の二つの隅２４のそれぞれを別のゴム紐Ｃ３４によってリング３１２に向かって引き寄せるものである。実施例４と異なる効果は，二つの構成材の隅２４のそれぞれに別個のゴム紐Ｃ３４が設けられたことで引き延ばしの方向が自由になり，投入物が大きかった場合には枠状体１０の幅いっぱいに合わせ目２１３を押しひろげることも可能となる。また，「さがり」２３１は折り返されて天井部の網２３（２）に接合されるため，実施例４では「さがり」２３１によって占領されていた網２３の下であって収納部上部の空間が必要なくなり，より大きな集積物の収納が可能となる。
【実施例８】
【００２２】
図８は実施例８の斜視図である。本実施例の構成は実施例６とほぼ同一であるが，筒状体Ｂ１１を支持する支持体が枠Ｃ１０３の二つをＸ字状に交差させ，当該交点１０３１に於いて二つの枠Ｃ１０３を回動可能に連結させたものとする。一方の枠Ｃ１０３の上端角部に開き角固定用のアーム１０４を可動的に接合する。もう一方の枠Ｃ１０３の上端角部にアーム１０４の端部を係着する係着部１０５を設ける。前記アーム１０４のほぼ中央にリング３１２を設ける。網２３による二つの天井部構成材の隅２４にゴム紐３１の端３１１を固定し，該ゴム紐３１はリング３１２を通して反対側端部３１３を前記枠Ｃ１０３の下部に固定する。都合４個所の天井部構成材の隅２４のそれぞれについて，ゴム紐を上記の通り構成する。天井部を構成する網２３と筒状体Ｂ１１の上端は合わせ目２１３と平行する辺のみを縫合あるいは連続させ，筒状体Ｂ１１の上端角を枠Ｃ１０３の上端角部を係着可能とする。
【００２３】
上記構成により筒状体Ｂ１１は蚊帳状を呈する。合わせ目２１３と直交するところの天井部を構成する網２３の側端と筒状体Ｂ１１上端とは縫合せずに，前記網２３の動きを極力拘束しないものとする。天井部である網２３は筒状体Ｂ１１の上部を覆い，前記ゴム紐３１の力で係止する。前記ゴム紐３１によって二枚の網２３はリング３１２に向かって引き寄せられ天井部２を構成する。以上の構成により天井部の網２３は枠Ｃ１０３に接するまで押し開かれることが可能となる。また，枠Ｃ１０３を細い棒状鋼材（例えば径３〜８ｍｍ程度ただし収納具の大きさによって変動）によって構成すると，枠Ｃ１０３が弾性を発揮，変形して押し開かれるため，開口部の見かけの大きさよりよりも大きな集積物が投入可能となる。筒状体Ｂ１１の下端は内側に向かって折り込まれた裾４１によって下部開口部４を形成する。集積物５がこれに載って押さえつけるため，カラス等鳥獣の侵入を防ぐ効果が大である。集積物の回収に当たっては，上記構成による当該収納具の全体を持ち上げると下部開口部４は大きく変形して集積物５を通過させ，その場に残して移動できる。枠Ｃ１０３の下部には脚状突起部１０６を設けて枠Ｃ１０３を浮設し，筒状体Ｂ１１が摩耗することを防ぐ。
【図面の簡単な説明】
【００２４】
【図１】実施例１の一部断面を含む斜視図である。
【図２】実施例２の一部断面を含む斜視図である。
【図３】実施例３の一部断面を含む斜視図である。
【図４】実施例４の一部断面を含む斜視図である。
【図５】実施例５の一部断面を含む斜視図である。
【図６】実施例６の斜視図である。
【図７】実施例７の一部断面を含む斜視図である。
【図８】実施例８の斜視図である。
【符号の説明】
【００２５】
１  筒状体
１０  枠状体
１０１  枠Ｂ
１０１１  係着部
１０２  脚
１０３  枠Ｃ
１０４  アーム
１０５  係着部
１０６  脚状突起部
１１  筒状体Ｂ
２  天井部
２１  天井板
２１１  軸受け
２１２  回転軸
２１３  合わせ目
２２  シート
２２１  鋲
２２２  重合部
２３  網
２３１  「さがり」
２４  天井部構成材の隅
３  弾性材
３１  ゴム紐
３１１  ゴム紐の端
３１２  リング
３１３  ゴム紐の反対側端部
３２  ゴム紐Ｂ
３２１  結合手段
３２２  結合手段Ｂ
３３  板状弾性体
３４  ゴム紐Ｃ
４  下部開口部
４１  裾
５  集積物
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
蓋状体が網や布又はシートなどである並置した２枚の布状体どうしを突き合わせたものであって、当該突き合わせた布状体の隙間を投入口とし、該布状体の合わせ目近くの隅にゴムやバネ等の弾性体を連結して該合わせ目と平行方向に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である前記収納具の蓋状体。
【請求項２】
蓋状体が網や布又はシートなどである並置した２枚の布状体どうしを突き合わせたものであって、当該突き合わせた布状体の隙間を投入口とし、該布状体の合わせ目近くの隅にゴムやバネ等の弾性体を連結して該合わせ目と平行方向に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である蓋状体を有する収納具。
【請求項３】
前記蓋状体が網や布又はシートなどの布状体であって、当該布状体の突き合わせ部分の一定幅を接着や縫合をせずに折り返す事で，縫製や補強等によって発生する難伸縮部位が前記投入口の周縁に位置しないようにした構成である請求項１記載の収納具の蓋状体
【請求項４】
前記蓋状体が網や布又はシートなどの布状体であって、当該布状体の突き合わせ部分の一定幅を接着や縫合をせずに折り返す事で，縫製や補強等によって発生する難伸縮部位が前記投入口の周縁に位置しないようにした構成である請求項２記載の蓋状体を有する収納具。
【手続補正２】
【補正対象書類名】明細書
【補正対象項目名】全文
【補正方法】変更
【補正の内容】
【発明の詳細な説明】
【技術分野】
【０００１】
本発明はゴミ集積場等に於いてゴミの散乱を防止などのために供される収納具の蓋及び当該蓋部を有する収納具に関するものである。
【背景技術】
【０００２】
近年，都市部ではカラスが生ゴミの入ったゴミ袋を切り裂いて，中の残飯等を食いあさり，袋の内容物を路上等に散乱させる被害が日常化している。強固な収納庫や収納箱を用いればこれらの被害は防げるが，ゴミ集荷場を路上の一角に設定しなければならないという事情がこのゴミ収納庫や収納箱の設置を防げている。また，ネット等の覆いを設置しても手が汚れることを嫌い，これに触れたがらず生ゴミをネットの上に置いていってしまう者も多い。この解決のために投入口を持ちネットで構成された覆いや折りたたみ式の収納箱が各種発明されているが，解決につながらない現状がある。
【０００３】
【特許文献１】特開２００４−１０２３０号広報特開２００４−１０２３０号広報記載の発明は「後面部と，前面部と，これらの間に折り畳み可能に設けられた一対の側面部とからなる上面および底面が開口するゴミ収集ボックスであって，前記各側面部は後半部と前半部からなり両者は縦方向のほぼ中央部分で内側に折り畳み可能に構成され，各側面部の前記前半部の上辺は前面部方向に傾斜するように形成され，前記後面部の上端にはゴミ収集ボックスの上面開口部を遮蔽する網状体の一端を固定し，ゴミ収集ボックスの非使用時には側面部を内側に折り畳み前面部を後面部に折り重ね可能としたことを特徴とするゴミ収集ボックス。」である。利用者が，「ネット等の覆いを設置しても手が汚れることを嫌い，これに触れたがらない」という現実の中で確実なカラス等による散乱被害を防ぐには，ネット等の覆いに一切手を触れることなく収納物を収納できる収納具の蓋及び当該蓋部を有する収納具の実現が望まれる。
【０００４】
【特許文献２】特許第３７４３７６４号特許第３７４３７６４号に記載された発明は『網や布である布状体に廃棄物等を投入するための開口部を設けた構成であり，当該開口部周縁に沿って「さがり」」を設けたことを特徴とする散乱防止用覆い。』である。当該覆いは「さがり」を有することでカラス等の鳥獣が投入口から侵入することを防ぐと共に，左右の天井部を構成する布状体を中央部で突き合わせ下に向かって曲折して「さがり」とすることから，投入口の周縁に前記布状体の縫い合わせ部分が位置せず，投入口を押し広げやすい構成となっている。しかし，該覆いの全体を網で製造したような場合には投入口周辺にたるみが出て，投入口もだらしなく開口しやすくなる。開口部の左右の位置を固定してしまうと投入口が大きく変形できず，大きな投入物は投入口を通過できなくなる。大きな投入物が通過でき，投入口が常にきちんと閉鎖される収納具の蓋及び当該蓋部を有する収納具の実現が望まれる。
【０００５】
【特許文献３】特許第３６７０６５６号  特許第３６７０６５６号は廃棄物等をまとめてこれを覆うことのできる網や布である布状体によって構成された前記廃棄物等を投入するための投入口を設けてある覆いであって，該投入口は使用時に外側に位置する外布と使用時に内側に位置する内布によって二枚合わせの筒状に構成され，該二枚合わせの間から前記覆いの下に前記廃棄物等を投入できるようにした構成であることを特徴とする散乱防止用覆いである。当該２枚合わせの構成はカラス等の侵入を防ぐための物である。平面部に該構成の投入口を設け，前記外布をつまみ上げて前記平面部を傾ける使い方では極めて有効な構成といえるが，蚊帳状の立体に縫製された覆いに本構成を適用して天井部に投入物を載置した場合，前記二枚合わせ部分を幅広にすると投入物が自動に滑り込み難く，前記二枚合わせ部分の幅を狭くすると投入口はだらしなく広がって，鳥獣の侵入を許すことになる。重なる部分の幅が狭くても，あるいは重ねずに左右の天井部を突き合わせただけで投入口がきちんと閉鎖される収納具の蓋及び当該蓋部を有する収納具の実現が望まれる。
【発明の開示】
【発明が解決しようとする課題】
【０００６】
蓋部（天井部）に集積物を載置して手を離すと当該集積物の重量によって投入口が押し開かれ，当該集積物が当該投入口を通過して収納具の内部に収納され，当該集積物の通過後は常にきちんと閉ざされている蓋部，及び当該蓋部を有する収納具を廉価に供すること。
【課題を解決するための手段】
【０００７】
蓋状体が網や布又はシートなどである並置した２枚の布状体どうしを突き合わせたものであって、当該突き合わせた布状体の隙間を投入口とし、該布状体の合わせ目近くの隅にゴムやバネ等の弾性体を連結して該合わせ目と平行方向に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である前記収納具の蓋状体を供する。
【０００８】
蓋状体が網や布又はシートなどである並置した２枚の布状体どうしを突き合わせたものであって、当該突き合わせた布状体の隙間を投入口とし、該布状体の合わせ目近くの隅にゴムやバネ等の弾性体を連結して該合わせ目と平行方向に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である蓋状体を有する収納具を供する。
【０００９】
前記蓋状体が網や布又はシートなどの布状体であって，当該布状体の突き合わせ部分の一定幅を接着や縫合をせずに折り返す事で，縫製や補強等によって発生する難伸縮部位が前記投入口の周縁に位置しないようにした構成である収納具の蓋状体を供する。
【００１０】
前記蓋状体が網や布又はシートなどの布状体であって，当該布状体の突き合わせ部分の一定幅を接着や縫合をせずに折り返す事で，縫製や補強等によって発生する難伸縮部位が前記投入口の周縁に位置しないようにした構成である蓋状体を有する収納具を供する。
【発明の効果】
【００１１】
蓋状体が網や布又はシートなどである並置した２枚の布状体どうしを突き合わせたものであって、当該突き合わせた布状体の隙間を投入口とし、該布状体の合わせ目近くの隅にゴムやバネ等の弾性体を連結して該合わせ目と平行方向に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である前記収納具の蓋状体であるため次の効果を奏する。
【００１２】
集積物の重量によって蓋状体を押しのけることから，利用者が手を汚すことなく，かつ努力や特別の配慮無しに，生ゴミ等の収納物が収納具の中に確実に収納される。該布状体の合わせ目近くの隅にゴムやバネ等の弾性体を連結して該合わせ目と平行方向に向かって引き伸ばすように引き寄せ該投入口を閉鎖することから，カラス等鳥獣の侵入を阻止でき，散乱防止効果が高く，使い勝手の良い収納具を廉価に供することができる。
【００１３】
蓋状体が網や布又はシートなどである並置した２枚の布状体どうしを突き合わせたものであって、当該突き合わせた布状体の隙間を投入口とし、該布状体の合わせ目近くの隅にゴムやバネ等の弾性体を連結して該合わせ目と平行方向に向かって引き伸ばすように引き寄せることで該投入口を閉鎖し、当該蓋状体に集積物を載置して手を離すと当該集積物の重量によって前記弾性体が変形又は引き伸ばされて前記投入口が開かれ，当該集積物が当該投入口を通過して収納具の内部に収納される構成である蓋状体を有する収納具であるため次の効果を奏する。
【００１４】
集積物の重量によって蓋状体を押しのけることから，利用者が手を汚すことなく，かつ努力や特別の配慮無しに，生ゴミ等の収納物が収納具の中に確実に収納される。該布状体の合わせ目近くの隅にゴムやバネ等の弾性体を連結して該合わせ目と平行方向に向かって引き伸ばすように引き寄せ該投入口を閉鎖することから，カラス等鳥獣の侵入を阻止でき，散乱防止効果が高く，使い勝手の良い収納具を廉価に供することができる。
【００１５】
前記蓋状体が網や布又はシートなどの布状体であって，当該布状体の突き合わせ部分の一定幅を接着や縫合をせずに折り返す事で，縫製や補強等によって発生する難伸縮部位が前記投入口の周縁に位置しないようにした構成である収納具の蓋状体であるため次の効果を奏する。
【００１６】
投入物の通過に際し，投入口の変形が容易になって，生ゴミ等の収納物を天井部に載せるだけで収納具の中にスムーズに収納される収納具が，内部容積を減じることなく製造できる。
【００１７】
前記蓋状体が網や布又はシートなどの布状体であって，当該布状体の突き合わせ部分の一定幅を接着や縫合をせずに折り返す事で，縫製や補強等によって発生する難伸縮部位が前記投入口の周縁に位置しないようにした構成である蓋状体を有する収納具であるため次の効果を奏する。
【００１８】
投入物の通過に際し，投入口の変形が容易になって，生ゴミ等の収納物を天井部に載せるだけで収納具の中にスムーズに収納される収納具が，内部容積を減じることなく製造できる。
【発明を実施するための最良の形態】
【００１９】
本願発明は，蓋部（天井部）に集積物を載置して手を離すと当該集積物の重量によって投入口が開かれ，当該集積物が当該投入口を通過して収納具の内部に収納され，当該集積物の通過後は常にきちんと閉ざされている蓋部，及び当該蓋部を有する収納具であって，カラス等鳥獣の侵入を阻止でき，散乱防止効果が高い収納具を廉価に供するものである。以下図に基づき具体的に述べる。なお，本願発明の一部は，特許第３７４３７６４号並びに特許第３６７０６５６号の改良発明である。
【実施例１】
【００２０】
図１は実施例１の一部断面を含む斜視図である。筒状体１の上部に天井部２である天井板２１を２枚並置し，当該２枚の天井板２１が作る合わせ目２１３と平行し筒状体１に接する天井板２１の端辺に軸受け２１１を設け，回転軸２１２によって筒状体１に回動可能に連結する。合わせ目２１３近くの天井部構成材の隅２４に，弾性材３であるゴム紐３１の端３１１を結合し，当該ゴム紐３１は筒状体１の上部に設けたリング３１２に挿嵌し，反対側端部３１３を筒状体１の下部に固定する。
【００２１】
天井板２１に集積物を載置し，手を離すと天井板２１が矢印方向に向かって回動し，筒状体１の上部が開口する。前記集積物は筒状体１の内部に落下し，筒状体１内に収納される。前記天井板２１の回動時には，ゴム紐３１はリング３１２の内面を滑動しながら引き伸ばされ，集積物が筒状体１の開口部を内部に向かって通過した後は前記天井板２１が逆方向に引き戻される。筒状体１には底が存在しないため，当該筒状体１を持ち上げ移動すると収納された集積物はその場に残り，その回収は容易である。なお，前記滑動を容易にするため，前記ゴム紐３１のリング３１２と接する部分を滑りやすい材質に置き換えることが可能である。
【実施例２】
【００２２】
図２は実施例２の一部断面を含む斜視図である。実施例１における筒状体１の代わりに矩形の枠状体１０を設け，天井板２１をシート２２に置き換え，回転軸２１２の代わり鋲２２１によって前記枠状体１０に前記シート２２を接合した物である。枠状体１０の，合わせ目２１３と垂直方向をなす内側側面には該枠状体１０に沿ってその長さ分のゴム紐Ｂ３２を配し，その両端部を枠状体１０に固定する。合わせ目２１３近くの天井部構成材の隅２４を，結合手段３２１によってゴム紐Ｂ３２と結合する。収納具の上部開口部に枠状体１０を被せ，天井部２であるシート２２上に集積物を載置して手を離すと，ゴム紐Ｂ３２が引き伸ばされて中央部が枠状体１０から離れ，シート２２は変形して合わせ目２１３から左右に押しひろげられ，集積物は当該押し拡げられた合わせ目２１３を通過し，下の収納具に収納される。
【実施例３】
【００２３】
図３は実施例３の一部断面を含む斜視図である。構成はほぼ実施例２と同一であり，実施例２で合わせ目２１３を挟んで並置されたシート２２（２）が本実施例では枠状体１０の中央部で重なりあい，重合部２２２を構成する。当該重合部２２２の上に集積物を載置して手を離すとゴム紐Ｂ３２が引き伸ばされて中央部が枠状体１０から離れ，シート２２は矢印方向に変形して左右に押しひろげられ，集積物は当該押し拡げられた合わせ目２１３を通過し，下の収納具に収納される。通過後はゴム紐Ｂ３２並びにシート２２（２）は元の位置に引き戻され，重合部２２２を構成する。実施例２では合わせ目に隙間を作りやすく鳥獣の侵入に対し不安感が残るが，本実施例では重合部２２２が隙間を塞ぎ，上下のシート２２（２）を密着して隙間を無くし，安心感が得られる。
【実施例４】
【００２４】
図４は実施例４の一部断面を含む斜視図である。構成はほぼ実施例２と同一であり，実施例２で合わせ目２１３を挟んで並置されたシート２２（２）が本実施例では網２３（２）に置き換えられ，当該並置された網２３（２）は枠の中央部で突き合わされ，突き合わされた網２３（２）はそれぞれ下に向かって曲折し，「さがり」２３１を構成する。合わせ目２１３近くの天井部構成材の隅２４を結合手段３２１によってゴム紐Ｂ３２と結合する。左右の網２３（２）と「さがり」２３１が構成する曲折部は引き伸ばすようにゴム紐に引かれるため，該左右の「さがり」２３１は互いに密着し，鳥獣の侵入を阻止する。また，投入口の周縁である前記曲折部に縫い目などの難伸縮部位が位置しないことから投入口の変形が容易であり，集積物の通過も容易となる。
【実施例５】
【００２５】
図５は実施例５の一部断面を含む斜視図である。構成はほぼ実施例４と同一であり，実施例４と同様に合わせ目２１３を挟んで並置された網２３（２）が枠の中央部でそれぞれ下に向かって曲折し「さがり」２３１を構成する。異なる点は網２３（２）が合わせ目２１３に向かって傾斜している点と，ゴム紐Ｂ３２が板状弾性体３３に置き換えられた点である。合わせ目２１３近くの天井部構成材の隅２４を結合手段Ｂ３２２によって板状弾性体３３に結合する。網２３（２）上に集積物を載せ手を離すと集積物は傾斜面を滑り降り該網２３（２）を合わせ目２１３から押しひろげ，下の収納具に収納される。網２３（２）の合わせ目２１３が押しひろげられるにつれて板状弾性体３３の先端が合わせ目２１３の中央部に向かって引き寄せられ，集積物が合わせ目２１３を通過した後は変形した網２３（２）を引き戻し元の形態に復元する。「さがり」２３１の効果は実施例４と同様である。
【実施例６】
【００２６】
図６は実施例６の一部断面を含む斜視図である。本実施例は実施例１の筒状体１を布や網である布状体（本図では網）によって構成された筒状体Ｂ１１に置き換えたものである。筒状体Ｂ１１と天井部２である網２３によって構成された収納具全体が一体として蚊帳状に構成される。枠Ｂ１０１には脚１０２を設けて該枠Ｂ１０１を浮設し，該枠Ｂ１０１には係着部１０１１設け，筒状体Ｂ１１を吊着する。天井部２の網２３は合わせ目２１３に向かって傾斜し，天井部構成材の隅２４を結合手段３２１によってゴム紐Ｂ３２と結合する。該ゴム紐Ｂ３２は左右に引き伸ばされてその両端を前記脚１０２に接合される。前述の実施例と働きは同一であるが，本体が蚊帳状であり支持部材である枠Ｂ１０１や脚１０２がパイプ等により簡単に製造できることから，大きさの設定が自由にできる。
【実施例７】
【００２７】
図７は実施例７の一部断面を含む斜視図である。構成はほぼ実施例４と同一であるが，合わせ目２１３を挟んで並置された二つの天井部構成材（ここでは網２３）の隅２４を実施例４では一本のゴム紐によって合わせ目２１３の伸びる方向と同一方向に引き戻したのに対し，本実施例では並置された前記天井部構成材の二つの隅２４のそれぞれを別のゴム紐Ｃ３４によってリング３１２に向かって引き寄せるものである。実施例４と異なる効果は，二つの構成材の隅２４のそれぞれに別個のゴム紐Ｃ３４が設けられたことで引き延ばしの方向が自由になり，投入物が大きかった場合には枠状体１０の幅いっぱいに合わせ目２１３を押しひろげることも可能となる。また，「さがり」２３１は折り返されて天井部の網２３（２）に接合されるため，実施例４では「さがり」２３１によって占領されていた網２３の下であって収納部上部の空間が必要なくなり，より大きな集積物の収納が可能となる。
【実施例８】
【００２８】
図８は実施例８の斜視図である。本実施例の構成は実施例６とほぼ同一であるが，筒状体Ｂ１１を支持する支持体が枠Ｃ１０３の二つをＸ字状に交差させ，当該交点１０３１に於いて二つの枠Ｃ１０３を回動可能に連結させたものとする。一方の枠Ｃ１０３の上端角部に開き角固定用のアーム１０４を可動的に接合する。もう一方の枠Ｃ１０３の上端角部にアーム１０４の端部を係着する係着部１０５を設ける。前記アーム１０４のほぼ中央にリング３１２を設ける。網２３による二つの天井部構成材の隅２４にゴム紐３１の端３１１を固定し，該ゴム紐３１はリング３１２を通して反対側端部３１３を前記枠Ｃ１０３の下部に固定する。都合４個所の天井部構成材の隅２４のそれぞれについて，ゴム紐を上記の通り構成する。天井部を構成する網２３と筒状体Ｂ１１の上端は合わせ目２１３と平行する辺のみを縫合あるいは連続させ，筒状体Ｂ１１の上端角を枠Ｃ１０３の上端角部を係着可能とする。
【００２９】
上記構成により筒状体Ｂ１１は蚊帳状を呈する。合わせ目２１３と直交するところの天井部を構成する網２３の側端と筒状体Ｂ１１上端とは縫合せずに，前記網２３の動きを極力拘束しないものとする。天井部である網２３は筒状体Ｂ１１の上部を覆い，前記ゴム紐３１の力で係止する。前記ゴム紐３１によって二枚の網２３はリング３１２に向かって引き寄せられ天井部２を構成する。以上の構成により天井部の網２３は枠Ｃ１０３に接するまで押し開かれることが可能となる。また，枠Ｃ１０３を細い棒状鋼材（例えば径３〜８ｍｍ程度ただし収納具の大きさによって変動）によって構成すると，枠Ｃ１０３が弾性を発揮，変形して押し開かれるため，開口部の見かけの大きさよりよりも大きな集積物が投入可能となる。筒状体Ｂ１１の下端は内側に向かって折り込まれた裾４１によって下部開口部４を形成する。集積物５がこれに載って押さえつけるため，カラス等鳥獣の侵入を防ぐ効果が大である。集積物の回収に当たっては，上記構成による当該収納具の全体を持ち上げると下部開口部４は大きく変形して集積物５を通過させ，その場に残して移動できる。枠Ｃ１０３の下部には脚状突起部１０６を設けて枠Ｃ１０３を浮設し，筒状体Ｂ１１が摩耗することを防ぐ。
【図面の簡単な説明】
【００３０】
【図１】実施例１の一部断面を含む斜視図である。
【図２】実施例２の一部断面を含む斜視図である。
【図３】実施例３の一部断面を含む斜視図である。
【図４】実施例４の一部断面を含む斜視図である。
【図５】実施例５の一部断面を含む斜視図である。
【図６】実施例６の斜視図である。
【図７】実施例７の一部断面を含む斜視図である。
【図８】実施例８の斜視図である。
【符号の説明】
【００３１】
１  筒状体
１０  枠状体
１０１  枠Ｂ
１０１１  係着部
１０２  脚
１０３  枠Ｃ
１０４  アーム
１０５  係着部
１０６  脚状突起部
１１  筒状体Ｂ
２  天井部
２１  天井板
２１１  軸受け
２１２  回転軸
２１３  合わせ目
２２  シート
２２１  鋲
２２２  重合部
２３  網
２３１  「さがり」
２４  天井部構成材の隅
３  弾性材
３１  ゴム紐
３１１  ゴム紐の端
３１２  リング
３１３  ゴム紐の反対側端部
３２  ゴム紐Ｂ
３２１  結合手段
３２２  結合手段Ｂ
３３  板状弾性体
３４  ゴム紐Ｃ
４  下部開口部
４１  裾
５  集積物